(57)【要約】【課題】  内部に入り込んだ異物の除去が容易なテントの提供。【解決手段】  生地から形成された敷材４と、生地から形成され敷材４に取付けられるとともに出入口６が形成された天蓋３と、生地から形成されたカバー５とを備え、カバー５は、敷材４に対応する大きさであり、敷材４における出入口６部分に取付けられて敷材４を覆うように重ねられ、出入口６部分に取付けられた状態で出入口６から取出すことが可能とされ、カバー５は、敷材４における出入口６部分に一体的に取付けられ、敷材４における出入口６部分以外の部分では、天蓋３の下部に着脱自在とされたテント。【選択図】  図２
0003197262.tif 000002
【実用新案登録請求の範囲】
【請求項１】
生地から形成された敷材と、
生地から形成され該敷材に取付けられるとともに出入口が形成された天蓋と、
生地から形成されたカバーとを備え、
該カバーは、前記敷材に対応する大きさであって少なくとも敷材における出入口部分に取付けられて敷材を覆うように重ねられ、敷材における出入口部分に取付けられた状態で、前記出入口から取出すことが可能に構成されたことを特徴とするテント。
【請求項２】
前記カバーは、敷材における出入口部分に一体的に取付けられ、敷材における出入口部分以外の部分では、天蓋の下部または敷材のうち少なくとも一方に着脱自在とされた請求項１記載のテント。
【請求項３】
前記カバーは、縁が天蓋の下部の内側に重ねられる請求項１または請求項２記載のテント。
【考案の詳細な説明】
【技術分野】
【０００１】
本考案は、キャンプ等に用いられるテントに関する。
【背景技術】
【０００２】
この種のテントとして、下記特許文献１に記載のものが提案されている。特許文献１に記載のテントは、生地と生地との間に空気層を形成させるための補助生地を、生地どうしの間に介在させることで保温性を確保するものである。特許文献１には、例えば、テントの敷材の生地を２枚にして、敷材を構成する生地間に補助生地を介在させることが記載されている。
【先行技術文献】
【特許文献】
【０００３】
【特許文献１】特開２０１４−７０４６６号公報
【考案の概要】
【考案が解決しようとする課題】
【０００４】
ところで、キャンプ等に用いられるテントは、芝の上に据え付けられたり、河川敷に据え付けられたり、あるいは山林の中に据え付けられたりして用いられる。このようにしてテントを用いるのに伴い、テントには芝や、砂、あるいは枯葉等の異物が入り込む。これらの異物が敷材上にあると、テントの使用者には不快であるし、テントを畳む際には掃除がしにくい。ところで、上記特許文献１に記載のテントでは保温性を確保できるものの、テント内に入り込んだ異物を除去することは難しい。
【０００５】
そこで本考案は、内部に入り込んだ異物の除去が容易なテントの提供を課題とする。
【課題を解決するための手段】
【０００６】
本考案に係るテントは、生地から形成された敷材と、生地から形成され該敷材に取付けられるとともに出入口が形成された天蓋と、生地から形成されたカバーとを備え、該カバーは、前記敷材に対応する大きさであって少なくとも敷材における出入口部分に取付けられて敷材を覆うように重ねられ、敷材における出入口部分に取付けられた状態で、前記出入口から取出すことが可能に構成されたことを特徴としている。
【０００７】
上記構成のテントによれば、カバーが敷材を覆っている状態では、カバーに異物が散るのみで異物が敷材上に散るのを防止でき、敷材における出入口部分に取付けられた状態で、敷材とカバーの取付部分を起点にしてカバーをめくりあげるようにしてカバーを出入口からテントの外へ取出し、例えばカバーを揺さぶることで、カバーに散っている異物をテントの外で落とすことができる。
【０００８】
本考案に係るテントでは、前記カバーは、敷材における出入口部分に一体的に取付けられ、敷材における出入口部分以外の部分では、天蓋の下部または敷材のうち少なくとも一方に着脱自在とされた構成を採用できる。
【０００９】
上記構成のテントによれば、敷材における出入口部分以外の部分でカバーを天蓋の下部または敷材から取外して、カバーを出入口からテントの外へ取出すことができる。
【００１０】
本考案に係るテントでは、前記カバーは、縁が天蓋の下部の内側に重ねられる構成を採用できる。
【００１１】
上記構成のテントのように、カバーの縁が天蓋の下部の内側に重ねられることで、カバーと敷材との間に異物を入り込みにくくさせられる。
【考案の効果】
【００１２】
本考案のテントによれば、カバーを出入口からテントの外へ取出して、カバー上に散っている異物をテントの外で落とすことができるから、内部に入り込んだ異物の除去が容易になる。
【図面の簡単な説明】
【００１３】
【図１】本考案の一実施形態に係るテントの全体構成を表す斜視図である。
【図２】同カバーをテントの外へ引き出した状態での全体構成を表す斜視図である。
【図３】同使用状態を表した側面図である。
【考案を実施するための形態】
【００１４】
以下、本考案の一実施形態に係るテントを、図１ないし図３に基づいて説明する。本実施形態に係るテント１（「サンシェード」とも称されることがある）は、折り畳むことのできる骨組構成２を備えており、骨組構成２は、特定されるものではなく、周知の技術を用いていることから、その詳細な説明を省略する。
【００１５】
本実施形態に係るテント１は、生地から形成された天蓋３と、生地から形成された敷材４と、生地から形成されたカバー５とを備えている。なお、これら生地としては、ポリアミド合成繊維（ナイロン）が例示できる。
【００１６】
天蓋３はドーム状に形成されており、前側に出入口６が形成されている。後面部７の一部はメッシュ生地により構成されている。左右の側面部８，９、および天面部１０は、風雨を遮断可能な生地から形成されている。敷材４は、平面視して略矩形状に形成されている。敷材４は、天蓋３の下端辺に出入口６を除いて一体的に形成されている。すなわち、天蓋３と敷材４とは、三方で一体化されている。敷材４と天蓋３とを一体的にするために、縫着手段が用いられている。
【００１７】
カバー５は、敷材４に一体的に取付けられている。この、一体的に取付けられている取付部分１１は、敷材４における出入口部分側の端辺の全幅に亘っている。カバー５と敷材４とを一体的にするために、縫着手段や熱溶着手段が用いられている。カバー５は敷材４に対応する大きさに形成されている。具体的には、カバー５は敷材４に比べて大面積に形成されており、取付部分１１を起点として敷材４の上側に折り重ねた状態において、前記三方（側面部８，９および後面部７に沿う方向）において、敷材４の三方縁辺に対して、上方へ立ち上げることができる。
【００１８】
取付部分１１を起点として敷材４の上側に折り重ねた状態で敷材４の三方縁辺に対して上方へ立ち上がったカバー５の、前記三方に沿う縁部分１２，１３，１４は、それぞれ、側面部８，９および後面部７の下部の内側に重ねることができる。しかも、三方に沿う縁部分１２，１３，１４を、それぞれ側面部８，９および後面部７の下部の内側に重ねた状態を維持できるよう構成されている。具体的には、縁部分１２，１３，１４を、それぞれ側面部８，９、および後面部７の下部の内側に対して着脱自在に構成されている。
【００１９】
縁部分１２，１３，１４を、それぞれ側面部８，９、および後面部７の下部の内側に対して着脱自在とする着脱手段として、面ファスナ１５が用いられている。例えば、面ファスナ１５のフック１５ａが天蓋３側に貼着され、面ファスナ１５のループ１５ｂがカバー５側に貼着されている。
【００２０】
本実施形態におけるテント１は、オートキャンプ場の芝の上に据え付けられたり、河川敷に据え付けられたり、あるいは山林の中に据え付けられたりして用いられる。テント１の使用状態においては、取付部分１１を起点にしてカバー５をテント１の内部側に折り畳んで、敷材４の上側をカバー５で覆う。そして、カバー５の縁部分１２，１３，１４を立ち上げるようにして、天蓋３の下部の内側に沿わせるとともに、面ファスナ１５のループ１５ｂを面ファスナ１５のフック１５ａに合わせる。このようにすることにより、カバー５が天蓋３に対して保持される。
【００２１】
カバー５は、テント１内に居る使用者の敷材として機能する。このように、カバー５が敷材４と併せて敷材４に重ねられる別の敷材として機能することにより、据え付け箇所の温度や感触を、使用者に伝わりにくくすることができる。
【００２２】
上記したように、本実施形態におけるテント１は、オートキャンプ場の芝の上に据え付けられたり、河川敷に据え付けられたり、あるいは山林の中に据え付けられたりして用いられる。このため、テント１の使用者が出入口６から出入りするのに伴って、芝、砂、小石、枯葉等の異物ｅがテント１の内部に入り込む。
【００２３】
しかしながら、敷材４はカバー５で覆われ、しかも縁部分１２，１３，１４を立ち上げるようにして、天蓋３の下部の内側に沿わせている。このため、カバー５とその下側に敷かれている敷材４との間に異物ｅが入り込んでしまうのを効果的に防止することができる。
【００２４】
異物ｅがテント１内に入り込んで使用者が不快になったり、あるいはキャンプが終わりテント１を畳んだりする際には、使用者はまず、面ファスナ１５によって天蓋３に保持されているカバー５を天蓋３の下部から取外す。カバー５を天蓋３から取外すには、ループ１５ｂをフック１５ａに対して引き剥がすようにすることで、容易に行うことができる。
【００２５】
次に、使用者は、天蓋３から取外したカバー５を把持し（例えば縁部分１２を把持）、取付部分１１を起点にしてカバー５をめくりあげ、カバー５を出入口６からテント１の外へ取出す。そして、図３に示すように、例えばカバー５を上下に揺さぶることで、カバー５に散っている異物ｅをテント１の外で落とすことができる。
【００２６】
使用者が天蓋３から取外したカバー５を把持し、取付部分１１を起点にしてカバー５をめくりあげるようにすると、カバー５上に散らばっている異物ｅを、カバー５の限られた領域にまとめられるから、異物ｅを落とすのに時間がかからない。
【００２７】
上記のようにして異物ｅの除去が終われば、使用者は再び取付部分１１を起点にしてカバー５をテント１の内部側に折り畳んで敷材４に被せてテント１を使用し、あるいはテント１を畳む。
【００２８】
本実施形態に係るテント１によれば、敷材４を覆うカバー５を天蓋３の下部に着脱自在とし、面ファスナ１５を取外したうえで取付部分１１を起点にしてカバー５をめくりあげて、カバー５をテント１の外へ取出すことができるようにしたので、テント１の内部に入り込んだ異物ｅの除去を容易に行うことができる。
【００２９】
本考案は、上記実施形態に限定されるものではなく、本考案の要旨を逸脱しない範囲で種々の変更が可能である。上記実施形態では、カバー５を敷材４よりも大きく形成し、縁部分１２，１３，１４を立ち上げるようにして、天蓋３の下部の内側に沿わせるようにした。しかしながら、カバー５を敷材４と同等の大きさに形成し、着脱手段を用いてカバー５を敷材４に着脱自在に構成することもできる。さらに、カバー５は、天蓋３の下部および敷材４に着脱自在に構成することもできる。なお、着脱手段としては面ファスナ１５に限定されず、例えば、スライドファスナを用いてもよい。
【００３０】
上記実施形態では、取付部分１１は、敷材４とカバー５とを一体的に構成する部分として例示した。しかしながら、取付部分１１は、敷材４とカバー５とを一体化させる構成でなくてもよく、例えば、面ファスナやスライドファスナ、ドットボタン等を用いて着脱可能に構成することもできる。但し、異物ｅをテント１の外で落とす際に、取付部分１１を起点としてカバー５をめくりあげる場合では、敷材４とカバー５とは一体化させた状態としておく。
【符号の説明】
【００３１】
１…テント、３…天蓋、４…敷材、５…カバー、６…出入口、７…後面部、８，９…側面部、１０…天面部、１１…取付部分、１２，１３，１４…縁部分、１５…面ファスナ、ｅ…異物
【図１】
0003197262.tif 000003
【図２】
0003197262.tif 000004
【図３】
0003197262.tif 000005